(57)【要約】【課題】プロジェクターに異常が発生した場合に、カスケード接続された他のプロジェクターを動作させる。【解決手段】モード設定手段が前記第１モードに設定されており、プロジェクターが画像を投写中に異常検知手段によってプロジェクターに異常が発生したことを検知した場合（ステップＳ２０１）、制御手段２０は、送信手段より異常発生情報をカスケードに接続された他のプロジェクターへ送信する（ステップＳ２０２）とともに、モード設定手段を第２モードに設定し（ステップＳ２０４）、受信手段より異常発生情報を受信した場合（ステップＳ３０１）、プロジェクターを起動する（ステップＳ３０２）とともに、モード設定手段を第１モードに設定する（ステップＳ３０３）。【選択図】図６
2013160978.tif 000002
【特許請求の範囲】
【請求項１】
光源から射出された光を画像情報に応じて変調して投写するプロジェクターであって、
１つ以上の他のプロジェクターとカスケードに接続可能であり、前記カスケードに接続された前記他のプロジェクターと通信するための送信手段、及び受信手段と、を備え、
入力操作を受け付ける入力操作手段と、
前記入力操作手段が受け付けた前記入力操作に基づき、動作状態または待機状態に切り替える第１モードと、前記受信手段より異常発生情報を受信するまで待機する第２モードのいずれかを設定する、モード設定手段と、
当該プロジェクターが画像を投写中に異常が発生したことを検知する異常検知手段と、
当該プロジェクターの動作を制御する制御手段と、を有し、
前記制御手段は、前記モード設定手段に前記第１モードが設定されており、かつ前記異常検知手段によって当該プロジェクターに異常が発生したことを検知した場合に、前記送信手段より、異常発生情報を前記カスケードに接続された前記他のプロジェクターへ送信するとともに、前記モード設定手段に前記第２モードを設定し、
前記制御手段は、前記モード設定手段に前記第２モードが設定されており、前記受信手段より、前記異常発生情報を受信した場合、当該プロジェクターを起動するとともに、前記モード設定手段に前記第１モードを設定することを特徴とする、プロジェクター。
【請求項２】
請求項１に記載のプロジェクターであって、
当該プロジェクターへの入力画像信号をカスケードに接続された他のプロジェクターに出力する画像出力端子をさらに備えたことを特徴とする、プロジェクター。
【請求項３】
光源から射出された光を画像情報に応じて変調して投写し、１つ以上の他のプロジェクターとカスケードに接続可能であり、カスケードに接続された他のプロジェクターと通信するための送信手段、及び受信手段と、入力操作を受け付ける入力操作手段と、前記入力操作手段が受け付けた前記入力操作に基づき動作する第１モードと、前記受信手段より異常発生情報を受信するまで待機する第２モードのいずれかを設定する、モード設定手段と、当該プロジェクターが画像を投写中に異常が発生したことを検知する異常検知手段と、を有するプロジェクターの制御方法であって、
前記モード設定手段に前記第１モードが設定されており、かつ前記異常検知手段によって当該プロジェクターに異常が発生したことを検知した場合に、前記送信手段より、前記異常発生情報をカスケードに接続された他のプロジェクターへ送信するとともに、前記モード設定手段に前記第２モードを設定する第１制御ステップと、
前記モード設定手段に前記第２モードが設定されており、前記受信手段より、前記異常発生情報を受信した場合、当該プロジェクターを起動するとともに、前記モード設定手段に前記第１モードを設定する第２制御ステップと、を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
プロジェクターで画像を投写しているときにランプ故障などの異常が発生した場合、ユーザーに知らせるために異常を検知して異常発生メッセージを画像に重畳して投写し通知する機能が知られている。また、特許文献１のように、プロジェクターがスクリーン装置に異常情報を送信し、スクリーン装置は異常情報を表示部に表示することで、ユーザーに知らせるものが開示されている。
このようなプロジェクターによれば、プロジェクターの投写部に異常が発生して異常発生通知を画面で確認できない場合でも、スクリーン装置の表示部により異常発生を知ることができる。
【先行技術文献】
【特許文献】
【０００３】
【特許文献１】特開２０１１−３４０２８号公報
【発明の概要】
【発明が解決しようとする課題】
【０００４】
しかし、特許文献１のプロジェクターのようにスクリーン装置により異常発生が通知されたとしても、デモンストレーション等でユーザーがそばにおらず、異常発生に対処できない場合、そのまま放置されてしまう虞があった。
また、操作者が異常発生通知に気がついたとしても、プロジェクターの修理が完了するか、予備のプロジェクターを投写できる状態に用意するまでの間は、デモンストレーションが中断されてしまうという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写するプロジェクターであって、１つ以上の他のプロジェクターとカスケードに接続可能であり、前記カスケードに接続された前記他のプロジェクターと通信するための送信手段、及び受信手段と、を備え、入力操作を受け付ける入力操作手段と、前記入力操作手段が受け付けた前記入力操作に基づき、動作状態または待機状態に切り替える第１モードと、前記受信手段より異常発生情報を受信するまで待機する第２モードのいずれかを設定する、モード設定手段と、当該プロジェクターが画像を投写中に異常が発生したことを検知する異常検知手段と、当該プロジェクターの動作を制御する制御手段と、を有し、前記制御手段は、前記モード設定手段に前記第１モードが設定されており、かつ前記異常検知手段によって当該プロジェクターに異常が発生したことを検知した場合に、前記送信手段より、異常発生情報を前記カスケードに接続された前記他のプロジェクターへ送信するとともに、前記モード設定手段に前記第２モードを設定し、前記制御手段は、前記モード設定手段に前記第２モードが設定されており、前記受信手段より、前記異常発生情報を受信した場合、当該プロジェクターを起動するとともに、前記モード設定手段に前記第１モードを設定することを特徴とする。
【０００７】
本適用例によれば、プロジェクターに異常が発生した場合、カスケード接続された他のプロジェクターに異常発生情報を送信し、異常発生情報を受信した他のプロジェクターが動作する。つまり、予め予備のプロジェクターをカスケード接続し、同じスクリーン上に画像を投写できるよう設定しておくことにより、画像を投写中に異常が発生したプロジェクターに代わって、カスケード接続された他のプロジェクターが動作して画像を投写することができる。よって、デモンストレーションなどにプロジェクターを使用している場合、画像の投写が中断するのを回避することが可能となる。
【０００８】
［適用例２］上記適用例に記載のプロジェクターにおいて、当該プロジェクターへの入力画像信号をカスケードに接続された他のプロジェクターに出力する画像出力端子をさらに備えたことを特徴とする。
【０００９】
本適用例によれば、当該プロジェクターへの入力画像信号を画像出力端子より、カスケード接続された他のプロジェクターへ出力することができるので、予め画像入力端子と画像出力端子とをカスケード接続しておくことにより、画像を投写中にプロジェクターに異常が発生した場合に、入出力端子の接続を変更することなく、他のプロジェクターによる画像の投写を開始することが可能となる。
【００１０】
［適用例３］本適用例に係るプロジェクターの制御方法は、光源から射出された光を画像情報に応じて変調して投写し、１つ以上の他のプロジェクターとカスケードに接続可能であり、カスケードに接続された他のプロジェクターと通信するための送信手段、及び受信手段と、入力操作を受け付ける入力操作手段と、前記入力操作手段が受け付けた前記入力操作に基づき動作する第１モードと、前記受信手段より異常発生情報を受信するまで待機する第２モードのいずれかを設定する、モード設定手段と、当該プロジェクターが画像を投写中に異常が発生したことを検知する異常検知手段と、を有するプロジェクターの制御方法であって、前記モード設定手段に前記第１モードが設定されており、かつ前記異常検知手段によって当該プロジェクターに異常が発生したことを検知した場合に、前記送信手段より、前記異常発生情報をカスケードに接続された他のプロジェクターへ送信するとともに、前記モード設定手段に前記第２モードを設定する第１制御ステップと、前記モード設定手段に前記第２モードが設定されており、前記受信手段より、前記異常発生情報を受信した場合、当該プロジェクターを起動するとともに、前記モード設定手段に前記第１モードを設定する第２制御ステップと、を有することを特徴とする。
【００１１】
本適用例によれば、プロジェクターに異常が発生した場合、カスケード接続された他のプロジェクターに異常発生情報を送信し、異常発生情報を受信した他のプロジェクターが動作する。つまり、予め予備のプロジェクターをカスケード接続し、同じスクリーン上に画像を投写するよう設定しておくことにより、画像を投写中に異常が発生したプロジェクターに代わって、カスケード接続された次のプロジェクターが動作して画像を投写することができる。よって、デモンストレーションなどにプロジェクターを使用している場合、画像の投写が中断するのを回避することが可能となる。
【図面の簡単な説明】
【００１２】
【図１】プロジェクターの回路構成を示すブロック図。
【図２】プロジェクターのモード設定と動作状態の関係を示す図。
【図３】プロジェクターの状態遷移を示す図。
【図４】プロジェクターのカスケード接続を示す図。
【図５】プロジェクターの画面遷移を示す図。
【図６】プロジェクターの動作を示すフローチャートであり、（ａ）は、入力操作を検出したとき、（ｂ）は、動作中に異常発生を検知したとき、（ｃ）は、第２待機状態で異常発生情報を受信したとき、の動作を示す図。
【発明を実施するための形態】
【００１３】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１４】
（第１実施形態）
図１は本実施形態のプロジェクター１の回路構成を示すブロック図である。
図１に示すように、プロジェクター１は、画像出力端子５、画像入力端子６、画像投写手段１０、ＯＳＤ処理手段１６、画像信号処理手段１７、画像信号入力手段１８、画像信号出力手段１９、制御手段２０、記憶手段２１、入力操作手段２３、光源制御手段２５、電源端子３０、電源部３１、異常検知手段４０、受信手段４１、送信手段４２等で構成されており、これらは図示しないプロジェクター１の筐体の内部に収容されている。
【００１５】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００１６】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００１７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。液晶駆動手段１４が、入力される画像情報に応じた駆動電圧を各画素に印加すると、各画素は、画像情報に応じた光透過率に設定される。
【００１８】
このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００１９】
本実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。
【００２０】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２１】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
制御手段２０は、プロジェクター１が入力操作手段２３の入力操作に基づき動作する第１モードと、後述する受信手段４１より異常発生情報Ｐ１を受信するまで待機する第２モードのいずれかを設定するモード設定手段２０１を含む。
【００２２】
図２はプロジェクター１のモード設定と動作状態の関係を示す図である。図２に示すように、モード設定手段２０１が第１モードに設定されている場合、プロジェクター１は電源オン状態、または第１待機状態の２つの状態を持ち、モード設定手段２０１が第２モードに設定されている場合、プロジェクター１は第２待機状態になる。
電源オン状態では入力操作が有効である。第１待機状態、および第２待機状態はプロジェクター１が電源オンを待機している状態であり、第１待機状態では電源オン操作、第２待機状態では異常発生情報Ｐ１を受信することにより、電源オン状態に移行する。なお、電源オン状態に移行するとモード設定手段２０１は第２モードに設定される。
【００２３】
図１に戻って、記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２４】
入力操作手段２３は、プロジェクター１が、ユーザーからの入力操作を受け付けるものであり、ユーザーがプロジェクター１に対して各種指示を行うための複数の操作キーを備えており、プロジェクター１の本体筐体外面に備えられる本体キーなどで構成される。
入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー、また、プロジェクター１を使用可能にするための認証情報を入力する認証操作キー（例えば数字キー）等がある。
【００２５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００２６】
複数の画像入力端子６には、ビデオ再生装置やパーソナルコンピューター等、図示しない外部の画像供給装置から、各種形式の画像信号が入力され、入力された画像信号は、画像信号入力手段１８に供給される。
【００２７】
画像信号入力手段１８は、複数の画像入力端子６のうち、制御手段２０の指示に基づく一の画像入力端子６を選択し、一の画像入力端子６に入力される画像信号を、画像信号処理手段１７、及び画像信号出力手段１９に出力する。
【００２８】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ．１２Ｂのすべての画素に対応する複数の画素値によって構成されている。画素値とは、対応する画素の光透過率を定めるものであり、この画素値によって、各画素を透過し射出する光の強弱（階調）が規定される。
【００２９】
画像信号出力手段１９は、制御手段２０の指示に基づき、画像信号入力手段１８から入力される画像信号を、画像出力端子５より出力する。画像出力端子５を他のプロジェクターの画像入力端子６に接続することにより、複数のプロジェクターに同じ画像信号を入力することが可能となる。
【００３０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３１】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３２】
光源制御手段２５は、制御手段２０の指示に基づいて、光源１１に対する電力の供給と停止とを制御し、光源１１の点灯、及び消灯を切り替える。
【００３３】
異常検知手段４０は、各種センサーやスイッチ、タイマーなどで構成され、プロジェクター１の異常発生を検知し、制御手段２０に通知する。異常検知手段４０が検知する異常の種類としては、プロジェクター１の内部温度が所定値以上に上昇した場合の温度異常（温度センサーで検出）、光源１１が画像投写中に消灯した場合の光源異常、光源の累積点灯時間が所定の光源寿命時間を超過した場合の光源寿命異常などがある。
【００３４】
受信手段４１はカスケード接続された、他のプロジェクターと通信し、異常発生情報Ｐ１を受信する。
【００３５】
送信手段４２はカスケード接続された、他のプロジェクターと通信し、異常発生情報Ｐ１を送信する。
受信手段４１、及び送信手段４２はＲＳ−２３２Ｃなどの通信方式を用いる。
【００３６】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（第１待機状態、及び第２待機状態）とを切り替えることができる。
【００３７】
図３はプロジェクター１の状態遷移を示す図である。図３に示すように、第１待機状態では、入力操作手段２３の電源オン操作により電源オン状態に遷移する。第２待機状態では、異常発生情報Ｐ１の受信により電源オン状態に遷移する。
電源オン状態では入力操作手段２３の電源オフ操作により、第１待機状態に遷移し、異常検知手段４０がプロジェクター１に異常が発生したことを検知すると、第２待機状態に遷移する。
第１待機状態と第２待機状態は、入力操作手段２３の特定の切り替え操作により互いに遷移する。
【００３８】
次に、本実施形態のプロジェクターのカスケード接続の動作について図４、および図５を用いて説明する。
図４は、複数からなるプロジェクターのカスケード接続を示す図であり、図５は、複数のプロジェクターの画面遷移を示す図である。
【００３９】
図４（ａ）はプロジェクターＰＪ１，ＰＪ２，ＰＪ３、が有線接続された状態を示す。プロジェクターＰＪ１の送信手段４２ａがプロジェクターＰＪ２の受信手段４１ｂに、プロジェクターＰＪ２の送信手段４２ｂがプロジェクターＰＪ３の受信手段４１ｃに、それぞれ接続された、カスケード接続状態になっている。
また、プロジェクターＰＪ１の画像入力端子６ａには外部機器ＶＤより画像信号Ｖ１が入力されており、プロジェクターＰＪ１の画像出力端子５ａがプロジェクターＰＪ２の画像入力端子６ｂに、プロジェクターＰＪ２の画像出力端子５ｂがプロジェクターＰＪ３の画像入力端子６ｃにそれぞれ接続されている。カスケード接続先頭のプロジェクターＰＪ１は第１モードに設定され、電源オン状態になっており、２番目以降のプロジェクターＰＪ２，ＰＪ３は第２モードに設定され、第２待機状態になっている。
【００４０】
図４（ａ）に示すように、カスケード接続先頭のプロジェクターＰＪ１は、入力操作手段２３ａからの入力操作を受け付けて動作し、画像入力端子６ａから入力される画像信号Ｖ１に基づく画像を投写している。
このときの画面表示状態を図５（ａ）に示す。プロジェクターＰＪ１は画像信号Ｖ１に基づく画像を投写し、プロジェクターＰＪ２，ＰＪ３は画像を投写しない。
【００４１】
図４（ｂ）に示すように、プロジェクターＰＪ１に何らかの異常が発生すると、プロジェクターＰＪ１からプロジェクターＰＪ２へ異常発生情報Ｐ１が送信され、プロジェクターＰＪ１の画像出力端子５ａからプロジェクターＰＪ２の画像入力端子６ｂに画像信号Ｖ１が入力される。
【００４２】
図４（ｃ）では、図４（ｂ）においてプロジェクターＰＪ２がプロジェクターＰＪ１から異常発生情報Ｐ１を受け付けると、プロジェクターＰＪ２が電源オン状態に遷移し、第１モードに設定される。プロジェクターＰＪ１は第２待機状態に遷移し、第２モードに設定される。
このときの画面表示状態を図５（ｂ）に示す。プロジェクターＰＪ２は画像信号Ｖ１に基づく画像を投写し、プロジェクターＰＪ１，ＰＪ３は画像を投写しない。
【００４３】
図４（ｄ）では、図４（ｃ）においてプロジェクターＰＪ２が動作中に、なんらかの異常が発生すると、プロジェクターＰＪ２からプロジェクターＰＪ３へ異常発生情報Ｐ１が送信され、プロジェクターＰＪ２の画像出力端子５ｂからプロジェクターＰＪ３の画像入力端子６ｃに画像信号Ｖ１が入力される。
【００４４】
図４（ｅ）では、図４（ｄ）においてプロジェクターＰＪ３がプロジェクターＰＪ２から異常発生情報Ｐ１を受け付けると、プロジェクターＰＪ３が電源オン状態に遷移し、第１モードに設定される。プロジェクターＰＪ２は第２待機状態に遷移し、第２モードに設定される。このときの画面表示状態を図５（ｃ）に示す。プロジェクターＰＪ３は画像信号Ｖ１に基づく画像を投写し、プロジェクターＰＪ１，ＰＪ２は画像を投写しない。
【００４５】
次に、本実施形態のプロジェクターの動作を図６のフローチャートを用いて説明する。図６（ａ）はプロジェクター１が入力操作を検出したとき、図６（ｂ）はプロジェクター１が投写中に異常発生を検知したとき、図６（ｃ）はプロジェクター１が異常発生情報Ｐ１を受信したとき、の動作を示す。
【００４６】
（入力操作を検出したとき）
図６（ａ）に示すように、プロジェクター１が入力操作手段２３への入力操作を検出すると（ステップＳ１０１）、制御手段２０は、モード設定手段２０１に第１モードが設定されているか否かを調べる（ステップＳ１０２）。モード設定手段２０１に第１モードが設定されている場合（ステップＳ１０２：Ｙ）、ステップＳ１０３に遷移する。モード設定手段２０１に第１モードが設定されていない場合、即ち第２モードが設定されている場合（ステップＳ１０２：Ｎ）、ステップＳ１０４に遷移する。
【００４７】
ステップＳ１０３において制御手段２０は、ステップＳ１０１において受け付けた入力操作に基づく処理を行い、ステップＳ１０４に遷移する。
【００４８】
ステップＳ１０４において本動作フローを終了する。
【００４９】
（投写中に異常発生を検知したとき）
図６（ｂ）に示すように、プロジェクター１が画像を投写中に異常検知手段４０により異常発生を検知すると（ステップＳ２０１）、制御手段２０は、送信手段４２より異常発生情報Ｐ１を送信する（ステップＳ２０２）。次にステップＳ２０３に遷移する。
【００５０】
ステップＳ２０３において制御手段２０は、画像信号出力手段１９に指示し、画像信号入力手段１８から入力される画像信号（入力画像）を、画像出力端子５より出力させ、ステップＳ２０４に遷移する。
【００５１】
ステップＳ２０４において制御手段２０は、モード設定手段２０１を第２モードに設定し、ステップＳ２０５に遷移する。
【００５２】
ステップＳ２０５において制御手段２０は、プロジェクター１の電源をオフして第２待機状態に遷移させ、本動作フローを終了する。ステップＳ２０１からステップＳ２０５が第1制御ステップに相当する。
【００５３】
（第２待機状態で異常発生情報を受信したとき）
図６（ｃ）に示すように、プロジェクター１が第２待機状態において受信手段４１より異常発生情報Ｐ１を受信すると（ステップＳ３０１）、制御手段２０は、プロジェクターの電源をオンし（ステップＳ３０２）、ステップＳ３０３に遷移する。
【００５４】
ステップＳ３０３において制御手段２０は、モード設定手段２０１を第１モードに設定し、ステップＳ３０４に遷移する。
【００５５】
ステップＳ３０４において制御手段２０は、画像信号入力手段１８から入力される画像信号を画像投写手段１０により投写し、本フローを終了する。ステップＳ３０１からステップＳ３０４が第２制御ステップに相当する。
【００５６】
以上、説明したように、本実施形態のプロジェクター１によれば、プロジェクターＰＪ１に異常が発生した場合、送信手段４２より、カスケード接続された他のプロジェクターＰＪ２に異常発生情報Ｐ１を送信し、異常発生情報Ｐ１を受信したプロジェクターＰＪ２が動作する。つまり、予め予備のプロジェクター１をカスケード接続し、同じスクリーンＳＣ上に画像を投写できるよう設定しておくことにより、画像を投写中に異常が発生したプロジェクターＰＪ１に代わって、カスケード接続された次のプロジェクターＰＪ２が動作して画像を投写することができるので、デモンストレーションなどにプロジェクター１を使用している場合、画像の投写が中断するのを回避することが可能となる。
【００５７】
また、入力されている画像信号Ｖ１を、画像出力端子５より、カスケード接続された次のプロジェクターＰＪ２へ出力することができるので、予め画像出力端子５、および画像入力端子６によりカスケード接続しておくことにより、画像を投写中にプロジェクターＰＪ１に異常が発生した場合に、画像入出力端子の接続を変更することなく、次のプロジェクターＰＪ２による画像の投写を開始することが可能となる。
【００５８】
また、上記実施形態は、以下のように変更してもよい。
（変形例１）
上記実施形態のプロジェクター１の変形例としては、送信手段４２より異常発生情報Ｐ１とともにプロジェクター１の各種設定項目を示す設定データをカスケード接続された次のプロジェクターへ送信し、設定データを受信したプロジェクターが各種設定項目に設定するようにしてもよい。これにより、異常が発生したプロジェクターの設定データを、カスケード接続された次のプロジェクターへ引継ぎ、同じ設定で動作させることが可能となる。
【符号の説明】
【００５９】
１…プロジェクター、１０…画像投写手段、１１…光源、５…画像出力端子、６…画像入力端子、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、１９…画像信号出力手段、２０…制御手段、２０１…モード設定手段、２１…記憶手段、２３…入力操作手段、２５…光源制御手段、３０…電源端子、３１…電源部、４０…異常検知手段、４１…受信手段、４２…送信手段、Ｐ１…異常発生情報。
【図１】
2013160978.tif 000003
【図２】
2013160978.tif 000004
【図３】
2013160978.tif 000005
【図４】
2013160978.tif 000006
【図５】
2013160978.tif 000007
【図６】
2013160978.tif 000008